【手続補正書】
【提出日】平成30年1月16日(2018.1.16)
【手続補正１】
【補正対象書類名】特許請求の範囲
【補正対象項目名】全文
【補正方法】変更
【補正の内容】
【特許請求の範囲】
【請求項１】
撮影画面内の焦点検出エリア内に、フォーカス情報を検知する方向に対応する方向およびフォーカス情報を検知する方向に対して垂直な方向に複数の領域を設定する領域設定手段と、
前記複数の領域から出力された複数のフォーカス情報のうちの、少なくとも一部の領域のフォーカス情報を組み合わせて１つのデフォーカス情報を算出する算出手段と、
算出されたデフォーカス情報に基づいてフォーカス制御を行う制御手段とを有し、
前記算出手段は、撮影状態に応じて、前記１つのデフォーカス情報を算出するための、フォーカス情報を組み合わせる領域を異ならせることを特徴とするフォーカス制御装置。
【請求項２】
前記撮影状態は、被写体の照度であり、
前記算出手段は、前記被写体の照度に応じて、前記フォーカス情報を組み合わせる領域を異ならせることを特徴とする請求項１に記載のフォーカス制御装置。
【請求項３】
前記算出手段は、被写体が低照度であると判定された場合には、少なくとも前記フォーカス情報を検知する方向に対して垂直な方向に位置する複数の領域のフォーカス情報を組み合わせて前記１つのデフォーカス情報を算出することを特徴とする請求項２に記載のフォーカス制御装置。
【請求項４】
前記算出手段は、少なくともフォーカス情報を検知する方向と垂直な方向に位置する複数の領域のそれぞれのフォーカス情報が得られず、かつ、被写体が低照度であると判定された場合に、フォーカス情報を検知する方向に対して垂直な方向に位置する複数の領域のフォーカス情報を組み合わせて前記１つのデフォーカス情報を算出することを特徴とする請求項１乃至３のいずれか１項に記載のフォーカス制御装置。
【請求項５】
前記算出手段は、少なくともフォーカス情報を検知する方向に対応する方向に位置する複数の領域のそれぞれのフォーカス情報が得られなかった場合に、フォーカス情報を検知する方向に対応する方向に位置する複数の領域のフォーカス情報を組み合わせて前記１つのデフォーカス情報を算出することを特徴とする請求項１乃至４のいずれか１項に記載のフォーカス制御装置。
【請求項６】
前記撮影状態は、被写体のコントラストであり、
前記算出手段は、前記被写体のコントラストに応じて、前記フォーカス情報を組み合わせる領域を異ならせることを特徴とする請求項１乃至５のいずれか１項に記載のフォーカス制御装置。
【請求項７】
前記算出手段は、被写体が低コントラストであると判別された場合には、少なくともフォーカス情報を検知する方向に対して垂直な方向に配置された複数の領域のフォーカス情報を組み合わせて前記１つのデフォーカス情報を算出することを特徴とする請求項６に記載のフォーカス制御装置。
【請求項８】
前記算出手段は、少なくともフォーカス情報を検知する方向と垂直な方向に位置する複数の領域のそれぞれのフォーカス情報が得られず、かつ、被写体が低コントラストであると判定された場合に、フォーカス情報を検知する方向に対して垂直な方向に位置する複数の領域のフォーカス情報を組み合わせて前記１つのデフォーカス情報を算出することを特徴とする請求項６または７に記載のフォーカス制御装置。
【請求項９】
前記算出手段は、前記フォーカス情報を検知する方向と垂直な方向に位置する複数の領域を組み合わせて算出する際に、前記フォーカス情報が第１の所定範囲内に含まれている領域のフォーカス情報を組み合わせて算出することを特徴とする請求項１乃至８のいずれか１項に記載のフォーカス制御装置。
【請求項１０】
前記第１の所定範囲を、撮影状態に応じて異ならせることを特徴とする請求項９に記載のフォーカス制御装置。
【請求項１１】
前記第１の所定範囲を、被写体が低照度であるか否かで異ならせることを特徴とする請求項９または１０に記載のフォーカス制御装置。
【請求項１２】
前記第１の所定範囲を、被写体が低コントラストであるか否かで異ならせることを特徴とする請求項９乃至１１のいずれか１項に記載のフォーカス制御装置。
【請求項１３】
前記領域に対応する画素の位置から対の像が出力され、前記フォーカス情報は、２像の相関度の情報であることを特徴とする請求項１乃至１２のいずれか１項に記載のフォーカス制御装置。
【請求項１４】
前記算出手段は、前記複数の領域で得られた２像の相関度を示す相関量を加算した相関量をフォーカス情報として算出することを特徴とする請求項１３に記載のフォーカス制御装置。
【請求項１５】
前記フォーカス情報とは異なる第２のフォーカス情報を出力する第２の出力手段をさらに有し、
前記算出手段は、前記フォーカス情報を検知する方向と垂直な方向に位置する複数の領域を組み合わせて前記１つのデフォーカス情報を算出する際に、前記第２のフォーカス情報が第２の所定範囲内に含まれている領域のフォーカス情報を組み合わせて算出することを特徴とする請求項１乃至８のいずれか１項に記載のフォーカス制御装置。
【請求項１６】
前記第２の所定範囲を、撮影状態に応じて異ならせることを特徴とする請求項１５に記載のフォーカス制御装置。
【請求項１７】
前記第２の所定範囲を、被写体が低照度であるか否かで異ならせることを特徴とする請求項１５または１６に記載のフォーカス制御装置。
【請求項１８】
前記第２の所定範囲を、被写体が低コントラストであるか否かで異ならせることを特徴とする請求項１５乃至１７のいずれか１項に記載のフォーカス制御装置。
【請求項１９】
前記制御手段は、前記算出手段から出力された複数のフォーカス情報のそれぞれを用いて、前記１つのデフォーカス情報を出力する際に、前記算出手段で出力されたフォーカス情報が第３の所定範囲内に含まれる領域を用いて、前記１つのデフォーカス情報として出力することを特徴とする請求項１乃至１８のいずれか１項に記載のフォーカス制御装置。
【請求項２０】
前記第３の所定範囲を、撮影状態に応じて異ならせることを特徴とする請求項１９に記載のフォーカス制御装置。
【請求項２１】
前記第３の所定範囲を、被写体が低照度であるか否かで異ならせることを特徴とする請求項１９または２０に記載のフォーカス制御装置。
【請求項２２】
前記第３の所定範囲を、被写体が低コントラストであるか否かで異ならせることを特徴とする請求項１９乃至２１のいずれか１項に記載のフォーカス制御装置。
【請求項２３】
前記フォーカス情報とは異なる第２のフォーカス情報を出力する第２の出力手段をさらに有し、
前記制御手段は、前記算出手段から出力された複数のフォーカス情報のそれぞれを用いて前記１つのデフォーカス情報を出力する際に、前記算出手段で出力された第２のフォーカス情報が第４の所定範囲内に含まれる領域を用いて、前記１つのデフォーカス情報として出力することを特徴とする請求項１乃至１４のいずれか１項に記載のフォーカス制御装置。
【請求項２４】
前記第４の所定範囲を、撮影状態に応じて異ならせることを特徴とする請求項２３に記載のフォーカス制御装置。
【請求項２５】
前記第４の所定範囲を、被写体が低照度であるか否かで異ならせることを特徴とする請求項２３または２４に記載のフォーカス制御装置。
【請求項２６】
前記第４の所定範囲を、被写体が低コントラストであるか否かで異ならせることを特徴とする請求項２３乃至２５のいずれか１項に記載のフォーカス制御装置。
【請求項２７】
前記第４の所定範囲を、前記算出手段において、前記複数のフォーカス情報を組み合わせて算出したか否かで異ならせることを特徴とする請求項２３に記載のフォーカス制御装置。
【請求項２８】
前記第２のフォーカス情報は、前記領域に対応する画素の位置から対の像が出力され、当該対の像の位相差に基づくデフォーカス情報であることを特徴とする請求項１５乃至１８、２３乃至２７のいずれか１項に記載のフォーカス制御装置。
【請求項２９】
前記第１、第２、第３、第４の所定範囲は、被写体が低照度であると判定された場合に、被写体が低照度でないと判定された場合と比較して所定範囲を広げることを特徴とする請求項１０、１１、１６、１７、２０、２１、２４、２５のいずれか１項に記載のフォーカス制御装置。
【請求項３０】
前記第１、第２、第３、第４の所定範囲は、被写体が低コントラストであると判定された場合に、被写体が低コントラストでないと判定された場合と比較して所定範囲を広げることを特徴とする請求項１０、１２、１６、１８、２０、２２、２４、２６のいずれか１項に記載のフォーカス制御装置。
【請求項３１】
前記第４の所定範囲は、前記算出手段において前記フォーカス情報を組み合わせて前記１つのデフォーカス情報を算出した場合に、前記算出手段において前記フォーカス情報を組み合わせていない場合と比較して、所定範囲を広げることを特徴とする請求項２７に記載のフォーカス制御装置。
【請求項３２】
前記算出手段は、前記フォーカス情報を検知する方向に対応する方向に位置する複数の領域のフォーカス情報を組み合わせて前記１つのデフォーカス情報を算出するときにフォーカス情報が得られなかった場合には、さらに前記フォーカス情報を検知する方向と垂直な方向に位置する複数の領域のフォーカス情報も組み合わせて前記１つのデフォーカス情報を算出することを特徴とする請求項１乃至３１のいずれか１項に記載のフォーカス制御装置。
【請求項３３】
前記算出手段は、前記フォーカス情報を検知する方向と垂直な方向に位置する複数の領域のフォーカス情報を組み合わせて前記１つのデフォーカス情報を算出するときにフォーカス情報が得られなかった場合には、さらに前記フォーカス情報を検知する方向と対応する方向に位置する複数の領域のフォーカス情報も組み合わせて前記１つのデフォーカス情報を算出することを特徴とする請求項１乃至３１のいずれか１項に記載のフォーカス制御装置。
【請求項３４】
複数のマイクロレンズを有する撮像素子を有し、当該マイクロレンズに対応して複数の受光部を有することを特徴とする請求項１乃至３３のいずれか１項に記載のフォーカス制御装置。
【請求項３５】
複数のマイクロレンズを有する撮像素子を有し、当該マイクロレンズに対応する受光部の開口位置が異なる画素部を有することを特徴とする請求項１乃至３３のいずれか１項に記載のフォーカス制御装置。
【請求項３６】
撮影画面内の焦点検出エリア内にフォーカス情報を検知する方向に対応する方向およびフォーカス情報を検知する方向に対して垂直な方向に複数の領域を設定する領域設定工程と、
前記複数の領域から出力された複数のフォーカス情報のうちの、少なくとも一部の領域のフォーカス情報を組み合わせて１つのデフォーカス情報を算出する算出工程と、
算出されたデフォーカス情報に基づいてフォーカス制御を行う制御工程とを有し、
前記算出工程では、撮影状態に応じて、前記１つのデフォーカス情報を算出するための、フォーカス情報を組み合わせる領域を異ならせることを特徴とするフォーカス制御方法。
【請求項３７】
請求項３６に記載のフォーカス制御方法の各工程をコンピュータに実行させるためのプログラム。
【請求項３８】
請求項３６に記載のフォーカス制御方法の各工程をコンピュータに実行させるためのプログラムを記憶したコンピュータが読み取り可能な記憶媒体。
【手続補正２】
【補正対象書類名】明細書
【補正対象項目名】０００９
【補正方法】変更
【補正の内容】
【０００９】
本発明に係わるフォーカス制御装置は、撮影画面内の焦点検出エリア内に、フォーカス情報を検知する方向に対応する方向およびフォーカス情報を検知する方向に対して垂直な方向に複数の領域を設定する領域設定手段と、前記複数の領域から出力された複数のフォーカス情報のうちの、少なくとも一部の領域のフォーカス情報を組み合わせて１つのデフォーカス情報を算出する算出手段と、算出されたデフォーカス情報に基づいてフォーカス制御を行う制御手段とを有し、前記算出手段は、撮影状態に応じて、前記１つのデフォーカス情報を算出するための、フォーカス情報を組み合わせる領域を異ならせることを特徴とする。